(57)【要約】【課題】  本発明は車輌等の大きな荷重が加わる場所に使用しても、損傷することなく、あらかじめ設定した機能を長期間確実に行なうことができる床用目地装置を得るにある。【解決手段】左右の床躯体の一方の目地部側床面に反目地部側が傾斜面に形成された目地プレート支持凹部と、他方の目地部側床躯体にほぼ水平状態で固定された支持台と、この支持台に上下移動可能に取付けられた上下移動手段に取付けられた支持バーと、目地プレート支持凹部に先端部が支持され後端部が支持バーに先端部が上方へ回動できるように他方の目地部側床躯体との間に隙間を有するように支持された目地プレートと、この目地プレートの後端下部を支持バーに目地プレートの先端部が上方へ回動できるように取付けられたヒンジ部材と、目地プレートの後端部と他方の目地部側床躯体との間の上部隙間に設けられた弾性材製のパッキングとで床用目地装置を構成している。【選択図】  図２
2008063895.tif 000002
【特許請求の範囲】
【請求項１】
目地部を介して設けられた左右の床躯体の一方の目地部側床面に反目地部側が傾斜面に形成された目地プレート支持凹部と、この目地プレート支持凹部と対応する他方の目地部側床躯体の、該目地プレート支持凹部の下面部位と対応する部位にほぼ水平状態で固定された支持台と、この支持台に上下移動可能に取付けられた上下移動手段に取付けられた該支持台に支持される支持バーと、前記目地プレート支持凹部に先端部が支持され、後端部が前記支持バーに先端部が上方へ回動できるように、前記他方の目地部側床躯体との間に隙間を有するように支持された目地プレートと、この目地プレートの後端下部を前記支持バーに該目地プレートの先端部が上方へ回動できるように取付けられたヒンジ部材と、前記目地プレートの後端部と前記他方の目地部側床躯体との間の上部隙間に設けられた弾性材製のパッキングとからなることを特徴とする床用目地装置。  
【請求項２】
目地プレートの先端部と後端部には先端部が上下方向に回動できるカバープレートが取付けられていることを特徴とする請求項1記載の床用目地装置。
【請求項３】
目地プレートの中央部より後端部側の底面には目地プレートの他方の目地部側床面への突出時に、該目地プレートをほぼ水平状態に保つことができるように後端部側が順次下方へ突出する傾斜面状の水平保持突片が形成されていることを特徴とする請求項１または請求項２いずれかに記載の床用目地装置。
【発明の詳細な説明】
【技術分野】
【０００１】
本発明は目地部を介して設けられた左右の床躯体間の目地部を覆う床用目地装置に関する。
【背景技術】
【０００２】
従来、この種の床用目地装置は目地プレートの後端上部にヒンジ部材を設けて目地プレートの先端部を上方へ回動できるように取付けられている。
【０００３】
このため、人が通行する場所での使用には問題が生じないが、車輌等の大きな荷重が加わる場所で使用した場合、目地プレートに大きな荷重が加わり、目地プレートの支持部が損傷しやすく、長期間安定した状態での使用ができないという欠点があった。
【特許文献１】特許第３３２８１９９号
【発明の開示】
【発明が解決しようとする課題】
【０００４】
本発明は以上のような従来の欠点に鑑み、車輌等の大きな荷重が加わる場所に使用しても、損傷することなく、あらかじめ設定した機能を長期間確実に行なうことができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の床躯体の一方の目地部側床面に反目地部側が傾斜面に形成された目地プレート支持凹部と、この目地プレート支持凹部と対応する他方の目地部側床躯体の、該目地プレート支持凹部の下面部位と対応する部位にほぼ水平状態で固定された支持台と、この支持台に上下移動可能に取付けられた上下移動手段に取付けられた該支持台に支持される支持バーと、前記目地プレート支持凹部に先端部が支持され、後端部が前記支持バーに先端部が上方へ回動できるように、前記他方の目地部側床躯体との間に隙間を有するように支持された目地プレートと、この目地プレートの後端下部を前記支持バーに該目地プレートの先端部が上方へ回動できるように取付けられたヒンジ部材と、前記目地プレートの後端部と前記他方の目地部側床躯体との間の上部隙間に設けられた弾性材製のパッキングとで床用目地装置を構成している。
【発明の効果】
【０００７】
以上の説明から明らかなように、本発明にあっては次に列挙する効果が得られる。
【０００８】
（１）目地部を介して設けられた左右の床躯体の一方の目地部側床面に反目地部側が傾斜面に形成された目地プレート支持凹部と、この目地プレート支持凹部と対応する他方の目地部側床躯体の、該目地プレート支持凹部の下面部位と対応する部位にほぼ水平状態で固定された支持台と、この支持台に上下移動可能に取付けられた上下移動手段に取付けられた該支持台に支持される支持バーと、前記目地プレート支持凹部に先端部が支持され、後端部が前記支持バーに先端部が上方へ回動できるように、前記他方の目地部側床躯体との間に隙間を有するように支持された目地プレートと、この目地プレートの後端下部を前記支持バーに該目地プレートの先端部が上方へ回動できるように取付けられたヒンジ部材と、前記目地プレートの後端部と前記他方の目地部側床躯体との間の上部隙間に設けられた弾性材製のパッキングとで構成されているので、目地プレートの後端部を支持バーを介して他方の目地部側床躯体に固定された支持台に支持させることができる。
したがって、車輌等の大きな荷重が加わっても、損傷することなく、目地プレート支持凹部と支持台で支持することができる。
【０００９】
（２）前記（１）によって、目地プレートの後端下部と支持バーとをヒンジ部材で取付けているので、ヒンジ部材が上面へ突出することなく、車輌が通過しても損傷するのを確実に防止することができる。
【００１０】
（３）前記（２）によって、目地プレートの先端部の上方への回動時には、目地プレートの後端下部のヒンジ部材の枢支部を支点として回動するので、スムーズに回動させることができるとともに、支持バーを介して支持台にも支持させることができる。
【００１１】
（４）前記（１）によって、構造が簡単であるので、容易に設置することができるとともに、目地プレートの先端部と後端部との高さ寸法が異なる傾斜部分にでも確実に取付けることができる。
【００１２】
（５）請求項2、３も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図６に示す本発明を実施するための最良の第１の形態において、１は目地部２を介して設けられた左右の床躯体３、３の目地部２を覆う本発明の床用目地装置で、この床用目地装置１は前記左右の床躯体３、３の一方の目地部側床面に反目地部側が傾斜面４に形成された目地プレート支持凹部５と、この目地プレート支持凹部５と対応する他方の目地部側床躯体３の、該目地プレート支持凹部５の下面部位と対応する部位にほぼ水平状態となるように複数本のアンカーボルト６で固定されたアングル材形状の支持台７と、この支持台７に支持される支持バー８と、この支持バー８を上下移動できるように前記支持台７に形成された少なくとも２個以上のボルト挿入孔９にそれぞれ遊挿され、該支持バー８に螺合固定された上下移動量を確保することができる少なくとも２個以上のボルト１０を用いた上下移動手段１１と、前記目地プレート支持凹部５に先端部が支持され、後端部が前記支持バー８に先端部が上方へ回動できるように、前記他方の目地部側床躯体３との間に隙間１２を有するように支持された、浅皿状の金属材製の目地プレート本体１３、この目地プレート本体１３内にモルタル１４を充填して、表面にタイル１５を固定した目地プレート１６と、この目地プレート１６の後端下部を前記支持バー８に、該目地プレート１６の先端部が上方へ回動できるように取付けられたヒンジ部材１７と、前記目地プレート１６の後端部と前記他方の目地部側床躯体３との間の上部隙間１２に、該目地プレート１６に固定するように設けられた弾性を有する合成樹脂材やゴム等の弾性材製のパッキング１８と、前記目地プレート１６の先端上部に必要に応じてヒンジ部材１９を介して取付けられた先端部が一方の床躯体３の床面に支持されるカバープレート２０と、前記目地プレート１６の後端上部に必要に応じてヒンジ部材２１を介して取付けられた先端部が他方の床躯体３の底面に支持されるカバープレート２２とで構成されている。
【００１５】
上記構成の床用目地装置１は、通常時の目地プレート１６は目地プレート支持凹部５と支持バー８を介して支持台７に支持されているので、上部にトラック等の車輌が載っても、支持部が損傷することなく支持できる。
地震等によって左右の床躯体３、３が異なる左右方向に揺れ動いて目地部２が広くなると、図４に示すように目地プレート１６の先端部が目地プレート支持凹部５内をスライド移動して、その揺れ動きを吸収する。
【００１６】
また、目地部２が狭くなるように揺れ動いた場合には、図５に示すように目地プレート１６の先端部が傾斜面４上をスライド移動して上方へ突出してその揺れ動きを吸収し、さらに、目地部が狭くなるように揺れ動き、例えば他方の床躯体３が下方にも揺れ動いた場合には、図６に示すように目地プレート本体１3の下面１3ａが目地プレート支持凹部５の目地部側端部５ａで支持され、上下移動手段１１の支持バー８に螺合固定されたボルト１０が、アングル材形状の支持台７に形成されたボルト挿入孔９を上方へスライド移動して、その揺れ動きをも吸収する。
[発明を実施するための異なる形態]
【００１７】
次に、図７ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図７ないし図９に示す本発明を実施するための第２の形態において、前記本発明を実施するための最良の第１の形態と主に異なる点は、目地プレート支持凹部５の上面を金属材製の支持プレート２４で覆うとともに、目地プレート１６のほぼ中央部より後端部の底面に目地プレート１６の先端部が他方の床躯体３の床面へ突出時に、該目地プレート１６をほぼ水平状態に保つことができるように後端部側が順次下方へ突出する傾斜面状の水平保持突片２３を形成した点で、このようは水平保持突片２３を形成した目地プレート１６を用いて構成した床用目地装置１Ａにしても、前記本発明を実施するための最良の第１の形態と同様な作用効果が得られるとともに、より効率よく目地部２が狭くなる場合に目地プレート１６を水平状態に位置させることができる。
【００１９】
図１０および図１１に示す本発明を実施するための第３の形態において、前記本発明を実施するための第２の形態と主に異なる点は、他方の壁面２５に支持台７を固定した点で、このように壁面２５に支持台７を固定した床用目地装置１Ｂにしても前記本発明を実施するための第２の形態と同様な作用効果が得られる。
【００２０】
図１２ないし図１４に示す本発明を実施するための第４の形態において、前記本発明を実施するための最良の第１の形態と主に異なる点は、他方の壁面２５に支持台７を固定するとともに、該支持台７に支持される支持バー８に目地プレート１６の先端部が下方に傾斜状態で取付けられるように目地プレート１６と支持バー８との間に隙間２６が生じるようにヒンジ部材１７で取付けた点で、このように構成した床用目地装置１Ｃにしても、前記本発明を実施するための最良の第１の形態と同様な作用効果が得られる。
【００２１】
図１５ないし図１７に示す本発明を実施するための第５の形態において、前記本発明を実施するための最良の第１の形態と主に異なる点は、左右の床躯体３、３の底面の高さが異なる場所にでも設置できるように目地プレート１６と支持バー８との間に隙間２６が生じるようにヒンジ部材１７を取付けた点で、このように構成した床用目地装置１Ｄにしても、前記本発明を実施するための最良の第１の形態と同様な作用効果が得られるとともに、床面の高さが異なる所にでも設置して使用することができる。
【産業上の利用可能性】
【００２２】
本発明は床用目地装置を製造する産業で利用される。
【図面の簡単な説明】
【００２３】
【図１】本発明を実施するための最良の第１の形態の平面図。
【図２】図１の２−２線に沿う拡大断面図。
【図３】本発明を実施するための最良の第１の形態の要部拡大説明図。
【図４】本発明を実施するための最良の第１の形態の目地部が広くなった動作説明図。
【図５】本発明を実施するための最良の第１の形態の目地部が狭くなった動作説明図。
【図６】本発明を実施するための最良の第一の形態の目地部が狭くなり他方の床躯体が下方に揺れ動いた動作説明図。
【図７】本発明を実施するための第２の形態の平面図。
【図８】図７の８−８線に沿う拡大断面図。
【図９】本発明を実施するための第２の形態の目地部が狭くなる動作説明図。
【図１０】本発明を実施するための第３の形態の平面図。
【図１１】図１０の１１−１１線に沿う拡大断面図。
【図１２】本発明を実施するための第４の形態の平面図。
【図１３】図１２の１３−１３線に沿う拡大断面図。
【図１４】本発明を実施するための第４の形態の要部拡大説明図。
【図１５】本発明を実施するための第５の形態の平面図。
【図１６】図１５の１６−１６線に沿う拡大断面図。
【図１７】本発明を実施するための第５の形態の要部拡大説明図。
【符号の説明】
【００２４】
１、１Ａ、１Ｂ、１Ｃ、１Ｄ：床用目地装置、
２：目地部、                                              ３：床躯体、
４：傾斜面、                                              ５：目地プレート支持凹部、    
６：アンカーボルト、                              ７：支持台、
８：支持バー、                                                        ９：ボルト挿入孔、
１０：ボルト、                                                        １１：上下移動手段、
１２：隙間、                                              １３：目地プレート本体、
１４：モルタル、                                      １５：タイル、
１６，１６Ａ：目地プレート、                            １７：ヒンジ部材、
１８：パッキング、                                  １９：ヒンジ部材、
２０：カバープレート、                          ２１：ヒンジ部材、
２２：カバープレート、                          ２３：水平保持突片、
２４：支持プレート、                              ２５：他方の壁面、
２６：隙間。
【図１】
2008063895.tif 000003
【図２】
2008063895.tif 000004
【図３】
2008063895.tif 000005
【図４】
2008063895.tif 000006
【図５】
2008063895.tif 000007
【図６】
2008063895.tif 000008
【図７】
2008063895.tif 000009
【図８】
2008063895.tif 000010
【図９】
2008063895.tif 000011
【図１０】
2008063895.tif 000012
【図１１】
2008063895.tif 000013
【図１２】
2008063895.tif 000014
【図１３】
2008063895.tif 000015
【図１４】
2008063895.tif 000016
【図１５】
2008063895.tif 000017
【図１６】
2008063895.tif 000018
【図１７】
2008063895.tif 000019